(57)【特許請求の範囲】
【請求項１】
蛍光体を励起発光させるパネル状の表示板を有する表示装置において、複数のペルチェ素子をパネル状にして、そのパネルを少なくとも一部に用いて筒状体を構成し、該筒状体内を通過する空気を冷却するペルチェ・パネル冷却筒を前記表示装置の背面外側に有し、該ペルチェ・パネル冷却筒によって冷却した空気を前記表示板の背面下部から取り込み背面上部から取り出すようにしたことを特徴とする広告表示装置。
【請求項２】
蛍光体を励起発光させるパネル状の表示板を有する表示装置において、複数のペルチェ素子をパネル状にしたペルチェ・パネル板の両側にＵ字状のヒートシンクを接続し、該ヒートシンクの冷熱側を内側にして筒状体を構して該筒状体内を通過する空気を冷却するペルチェ・パネル冷却筒を有し、該ペルチェ・パネル冷却筒を前記表示装置の背面外側に配設し、該ペルチェ・パネル冷却筒の冷却空気を前記表示板の背面下部から取り込み背面上部から取り出すようにしたことを特徴とする広告表示装置。
【請求項３】
蛍光体を励起発光させるパネル状の表示板を有する表示装置において、前記表示板の背面に冷却空気の取り入れ口から排出口までをパイプ状のカバーで覆い、前記パイプ状のカバーの外気に露出する面の少なくとも一部を、複数のペルチェ素子をパネル状にしたペルチェ・パネル板で構成し、前記パイプ状のカバーの中間にバイパス弁を設け、前記空気取り入れ口近傍に外気取り入れのためのドアを設け、前記空気排出口の近傍に熱気排出のドアを設け、前記バイパス弁と前記２つのドアを連動して開閉することを特徴とする広告表示装置。
【請求項４】
前記パイプ状のカバーを断熱材で構成し、該カバーの外気に露出する面の少なくとも一部に、複数のペルチェ素子をパネル状にしたペルチェ・パネル板の両側にＵ字状のヒートシンクを接続し、該ヒートシンクの冷熱側を前記カバー内部側にして配置したことを特徴とする請求項３に記載の広告表示装置。
【発明の詳細な説明】
【０００１】
【発明の属する技術分野】
本発明は、広告表示装置及び冷却装置、より詳細には、蛍光体を励起発光させるパネル状の表示板を有する広告表示装置における冷却機構及び冷却に用いる冷却装置に関する。
【０００２】
【従来の技術】
プラズマ表示装置の表示輝度は表示パネルの温度により変化する。そのため、特開平９−６２８３号公報（プラズマディスプレイパネルの温度補償方法及び装置、プラズマディスプレイパネルの過熱防止方法及び装置並びにこれらを用いたプラズマディスプレイ表示装置）では、表示駆動ドライバの温度を検出して維持放電の電圧及びパルス数を制御することで表示輝度を安定させるようにしている。
【０００３】
しかし、上記公開公報に記載の温度制御は、パネル温度が上昇すると表示輝度が落ちるので、これを維持するために電力を増加させるようにしているが、そのため、つまり、電力を増加させるため、温度上昇はさらに加速する。温度上昇の限界点を超えるとデバイス破壊を起こし、逆に温度が低すぎると、異常表示を起こして不要な表示をして安定した使い方ができない。そのため、加熱手段で加熱して安定させることになるが、加熱手段が余計に必要となる。
【０００４】
この表示輝度と輝度の温度依存性は蛍光体の種類によって著しく異なり、また、同一蛍光体でも励起源とか製法などにより異なることが知られている（テレビジョン学会編：コロナ社「画像ディスプレイ」Ｐ４０参照）。また、上記公開公報では、温度上昇の限界点を超えるとデバイス（バス電極に電圧を駆動するドライバデバイス（ＬＳＩ）を指すものと推定される）破壊を起こすと述べているが、該公開公報には、この温度上昇を防止する有効な方法は開示されていない。
【０００５】
特開平８−２４０３２３号公報（電子冷却パネル）には柔軟性に優れたパネル状のペルチェ冷却パネルが開示されている。図１３は、前記特開平８−２４０３２３号公報に開示されたペルチェ冷却パネルの一例を説明するための断面図で、図中、２はペルチェ素子、３は断熱材、４は鋼板（板材）、５は電極、６は電気絶縁層で、これらペルチェ素子２乃至電気絶縁層６によりペルチェ冷却パネル１を構成し、図示のように、板材４と板材４とに挾まれた空間に、断熱性の構造物３と、電極５によって電気的に接続された複数個のペルチェ素子２を配置し、電極５の一部を、少なくとも板材４と板材４に挾まれた空間を横切る方向に配置し、かつ別の一部を板材表面の電気絶縁層６を介して板材４に接触もしくは装着してパネル構造としたものである。
【０００６】
【発明が解決しようとする課題】
上述のように、プラズマ表示パネルに代表される広告（電子）表示装置は、その表示輝度が表示パネルの温度により変化し、パネル温度が上昇すると表示輝度が低下するため、表示輝度を上げるために、ドライバの電力を増加させるが、ドライバの電力を増加すると、パネル温度が上昇してしまう。しかし、従来、この温度上昇を防止するための有効な手段がなかった。
【０００７】
本発明は、上述のごとき実情に鑑みてなされたもので、特に、前述の特開平８−２４０３２３号公報に記載のペルチェ冷却パネルを効率的に用いて、プラズマ表示装置の温度上昇を抑え、もって、所定輝度を維持することとともに、デバイスの破壊を防止するようにしたものである。
【０００８】
【課題を解決するための手段】
請求項１の発明は、蛍光体を励起発光させるパネル状の表示板を有する表示装置において、複数のペルチェ素子をパネル状にして、そのパネルを少なくとも一部に用いて筒状体を構成し、該筒状体内を通過する空気を冷却するペルチェ・パネル冷却筒を前記表示装置の背面外側に有し、該ペルチェ・パネル冷却筒によって冷却した空気を前記表示板の背面下部から取り込み背面上部から取り出すようにしたことを特徴としたものである。
【０００９】
請求項２の発明は、蛍光体を励起発光させるパネル状の表示板を有する表示装置において、複数のペルチェ素子をパネル状にしたペルチェ・パネル板の両側にＵ字状のヒートシンクを接続し、該ヒートシンクの冷熱側を内側にして筒状体を構して該筒状体内を通過する空気を冷却するペルチェ・パネル冷却筒を有し、該ペルチェ・パネル冷却筒を前記表示装置の背面外側に配設し、該ペルチェ・パネル冷却筒の冷却空気を前記表示板の背面下部から取り込み背面上部から取り出すようにしたことを特徴としたものである。
【００１０】
請求項３の発明は、蛍光体を励起発光させるパネル状の表示板を有する表示装置において、前記表示板の背面に冷却空気の取り入れ口から排出口までをパイプ状のカバーで覆い、前記パイプ状のカバーの外気に露出する面の少なくとも一部を、複数のペルチェ素子をパネル状にしたペルチェ・パネル板で構成し、前記パイプ状のカバーの中間にバイパス弁を設け、前記空気取り入れ口近傍に外気取り入れのためのドアを設け、前記空気排出口の近傍に熱気排出のドアを設け、前記バイパス弁と前記２つのドアを連動して開閉することを特徴としたものである。
【００１２】
請求項４の発明は、請求項３の発明において、前記パイプ状のカバーを断熱材で構成し、該カバーの外気に露出する面の少なくとも一部に、複数のペルチェ素子をパネル状にしたペルチェ・パネル板の両側にＵ字状のヒートシンクを接続し、該ヒートシンクの冷熱側を前記カバー内部側にして配置したことを特徴としたものである。
【００１３】
【発明の実施の形態】
図１は、本発明が適用される広告表示装置の一例を説明するための正面斜視図、図２は、図１に示した広告表示装置の裏面斜視図で、図１において、１０はタッチパネル付きプラズマディスプレイ、１１はスピーカ、１２はプラズマディスプレイの電源ランプ、２０はインクジェット等のプリンタが収納されているプリンタ収納部、２１はパソコンのキーボード等を置くキーボード台、３０はミニタワー型のパソコンが収納でき、両側面がドアになっているパソコン収納部、４０はロック付きキャスターであり、図２において、１３は移動用取手、１４はプラズマディスプレイの各種調整を行うための操作パネル、１５はタッチパネルコントローラ、１６はディスプレイ角度調整レバー、２２は主電源スイッチ、２３はケーブルを配線するためのケーブルガイド、３１はパソコンのフロッピーやＣＤ−ＲＯＭを使用する際に開くパソコンアクセスドア、３２は各機器への電源を供給する電源タップである。
【００１４】
図３は、本発明の実施に使用して好適なペルチェ・パネル冷却筒の一例を説明するための概略斜視図で、図中、５０は本発明の実施に使用されるペルチェ・パネル冷却筒で、該ペルチェ・パネル冷却筒５０は、図１３に示したごときペルチェ冷却パネル１を少なくとも一部に含み、かつ、冷熱側を内側にした筒体で構成され（図示例の場合、上面と下面の２面がペルチェ冷却パネル１にて構成されている）、該筒体５０内に一方の開口から外気が導入され、他方の開口から冷却空気が排出されるようになっている。
【００１５】
図４は、図１に示した広告表示装置のディスプレイ１０の裏面側の要部構成を示す図で、図中、１７は吸気口、１８は排気口で、本発明においては、ペルチェ冷却パネル１にて、図３に示したような、冷却筒５０を構成し、例えば、空気を毎分２００リットル程度を、外気温に対しマイナス１０度程度冷却する筒形状の冷却器を構成し（この筒内を通過する空気は冷却された内壁により冷却され、筒の出口温度で外気温に対しマイナス５度冷却される）、この筒状の冷却器５０をプラズマ表示パネルに代表される電子表示装置の吸気口（図４の下部に示す吸気口）１７に接続して冷却するもので、該筒内を流れる空気は、該筒内で冷却されて、表示板１０の背面を冷却した後、排気口（図４の上部に示す排気口）１８より放出される。
【００１６】
通常、電子表示装置は空調の利いた室内で使用することを前提に設計され、その使用温度範囲は０〜４０℃である。この温度範囲は設計で使用するデバイスの選択などコストに係わってくるものである。この装置を空調が完全に作用しない、例えば、ショッピングセンターのイベント広場のような外気が直接入り込むような環境では、夏場のピーク時には４３℃程度が外気温となる。上述の温度設定は、屋内用に量産された電子表示装置を屋外で使用可能とするために、使用環境のマージンをプラス５℃程度広げるためのものである。
【００１７】
図５は、ペルチェ冷却パネル１にヒートシンクを設けた場合の例を示す図で、図中、２はペルチェ素子、４は無酸素銅のベース板、７ＡはＵ字状の放熱側ヒートシンク、７Ｂは吸熱側ヒートシンク、８Ａは放熱側アルミフィン（放熱板）、８Ｂは吸熱側アルミフィン（吸熱板）、９は断熱板で、これらによって、ヒートパイプ体の冷却板を構成している。放熱・吸熱効率を向上させるために、Ｕ字状ヒートシンクパイプ７Ａ，７ＢのＵ字部分にもフィン８Ａ，８Ｂを設置したものである。これはヒートシンクの特性が伝熱ブロックに近いところに放熱構造を設置すると効率がよいという原理に基づくものである。図示例は、このヒートシンク７Ａ，７Ｂを無酸素銅のベース板４，４に溝を掘った溝構造にロウ付けなどの方法で熱接続したもので、これをペルチェ素子の放熱、吸熱側にそれぞれペルチェ素子２をサンドイッチしてヒートシンク付ペルチェ冷却器構造６０としたものである。この場合、吸熱側のフィン８Ｂを断熱構造の板、例えば、図６に示すように、ＡＢＳ樹脂の断熱板９で構成した筒５０′内に設置し、この筒５０′内を通過する空気を冷却する。この筒状の冷却器５０′をプラズマ表示パネルに代表される電子表示装置の吸気口（図４の下部の吸気口）１７に接続して冷却した空気を表示パネルに供給するものである。
【００１８】
プラズマ表示パネルに代表される電子表示装置は、その原理である放電が安定して継続する最低温度が存在する。この安定温度に達するまでの時間をウォームアップタイムと呼ぶ。ウォームアップタイムは外気温が０℃の時、最大３０分程度に達する。ウォームアップタイムを短縮するため、特開平９−６２３８号公報に記載の発明では、パネル加熱装置を付加している。ここで、図７に示すように、ＰＤＰの冷却空気の吸気口から排気口までをパイプ状のカバー７０で覆い、そのパイプ状のカバーの中間に開閉式のバイパス弁７１を設け、空気取り入れ口近傍に外気取り入れのための吸気ドア７２を設け、空気排出口の近傍に熱気排出のための排気ドアを設けて、電源投入直後の予め設定した時間はバイパス弁をあけて、吸気ドアと排気ドア７３を閉じてＰＤＰ冷却用の空気を循環させてＰＤＰ全体が均一に暖まるようにする。なお、バイパス弁７１，吸気ドア７２，排気ドア７３はアクチュエータ（図示せず）で開閉する。この開閉のタイミングは時間設定による判断の他、温度センサー（図示せず）による方法もある。また、開閉の手段はアクチュエータの代わりにバイメタルを組み込み、バイメタルのバネ力で開閉する方法も考えられる。
【００１９】
図７に示したパイプ状カバーのうち、吸気側のカバーの外気に露出する面に図１３に示したペルチェ素子パネルを使いＰＤＰの吸気口に取り入れる外気を冷却し、或いは、吸気側のカバーの外気に露出する面に図５に示したペルチェ素子をＵ字状のヒートシンクパイプとフィンの冷却側をカバー内部に設けてＰＤＰの吸気口に取り入れる外気を冷却する。
【００２０】
電子媒体を用いた広告表示装置として、ビデオディスク再生装置とテレビジョンディスプレイによるもの、また、ビデオディスク再生装置の代わりにビデオテープを用いたものが利用される。これらは表示コンテンツが記憶媒体に記録された順序で表示されるもので、表示順序の変更は容易ではない。また、特開平７−１０４９６１号公報（オンライン型映像配信表示システム）には、表示開始時間を予め決めたテーブルとデジタル記録したコンテンツを通信で配信する広告表示の方法が記載されている。この方法は、ホスト側で表示スケジュールを作成、配信し、表示コンテンツも別途配信し、端末側で、そのスケジュールに従い広告などを表示するものであるが、コンテンツの表示に融通が利かない上に時間管理のコンテンツの制作・編集方法に時間精度が要求されるために制作コストがかさむという欠点がある。
【００２１】
以下に、上述のごとき表示開始時間を予め決めたテーブルとデジタル記録したコンテンツを通信で配信する広告表示について説明するが、その特徴は、要約すると、
（１）電子ディスプレイパネルと、これに表示するコンテンツを蓄積する蓄積手段とコンテンツを表示する表示制御手段からなる広告表示装置において、表示コンテンツを順序表示する手段を備えたこと、
上記（１）において、
（２）コマンド入力手段とコマンド解析手段と、順序表示を中断する手段と、コマンド入力により要求されたコンテンツを表示する手段と、コマンド入力により要求されたコンテンツの表示が終了したら前記中断した順序表示コンテンツへ復帰表示する復帰手段を備えたこと、
（３）表示役務を終了する手段と表示役務の再開を終了時の次の表示順序から再開する復帰手段を備えたこと、
にある。
【００２２】
図８は、本発明による広告表示装置の使用例を示す図で、図中、１０１はコンテンツ作成部、１０２はバージョン管理部、１０３はコンテンツ登録部、１０４は配信サーバー、１０５は表示順序テーブル・データ，順序表示コンテンツ・データ，オンデマンド表示コンテンツ・データが記憶された記憶媒体で、広告表示装置１１０には、表示する複数のコンテンツ（情報）がホストコンピュータからの配信により圧縮記憶されている。その複数のコンテンツは予め決められた順序に表示を行う順序コンテンツ群と利用者の意思により表示を行うオンデマンドコンテンツ群の２種類に分かれる。
【００２３】
図９は、広告表示装置１１０の構成を示す図で、図中、１１１はコマンド解析，表示実行処理，静止画表示処理，動画表示処理，音響再生処理，属性認識処理，温度補償処理，ロギング処理，コンテンツ入れ替え処理等を行うＣＰＵ、１１２はタイマー、１１３は表示順序テーブル，順序表示コンテンツ，オンデマンド表示コンテンツ等を記憶したコンテンツ蓄積部、１１４は表示板で、コンテンツ蓄積部１１３にはホストコンピュータから送信された、表示する順序を決められた順序表示コンテンツとオンデマンド表示コンテンツと表示順序テーブルが、例えば図１０に示すように、蓄積されている。これら３種類のコンテンツは蓄積部にランダムな順序で記憶されている。
【００２４】
表示順序コンテンツのロード方法は、次の通りである。
（１）テーブル番号でインデックスしてコンテンツ番号を得る。
（２）区分判断で表示モードを変更する。
（３）メモは表示ロギング・データに追加する。
（４）静止画（Ｓ）は表示時間長分表示する。
（５）動画（Ｖ）はコンテンツの再生終了まで表示する。
【００２５】
図１１は、図１０に示した表示順序テーブル中の００４の内容で、図１１には、図１０中のコンテンツＮｏ２３４，６６６，５５５，３５６，２１２，１１１の内容が表示されている。これらは静止画の表示で、例えば、ＪＰＥＧ形式のファイルで表示時間が３０秒間と表示テーブルに規定されている。画面の表示位置は各々のデータの先頭部にヘッダー（図示せず）に示されている。
【００２６】
上記の表示がタイマー処理により３０秒間行われた後、図１２の処理フローにより、「表示終了？」の判定で３０秒が検出され表示テーブルＮｏ繰り上げ処理によりテーブルＮｏが次の００５へ繰り上げられて記憶エリアにテーブルＮｏ「００５」が書き込まれる。次に、表示テーブルをインデックスして００５番目の内容がファイルＮｏ４４４の映画（×××）予告ファイルであることを得て、そのファイルを蓄積部よりローディングする。また、この時の絶対時間を広告装置のタイマーより得て、ロギング処理として蓄積部に記憶する。このロギングデータは適時ホストコンピュータへ転送して表示コンテンツの番組編成の参考に使用する。蓄積部よりのローディングが終了すると、「表示経過時間カウンタ（図示せず）」をリセットして表示時間のカウントを開始する。
【００２７】
また、同時にローディングしたコンテンツを表示するために動画表示処理を起動して、動画の再生が終了するまで再生が続行される。このテーブルは先頭にテーブルの数が記録されており、また、このテーブルはおおむね３時間で表示がなされ、最終テーブルまで表示されると先頭へ戻って表示される。これによって、表示コンテンツの編集が容易に行え、繰り返し表示ができる広告表示ができる。
【００２８】
利用者は、その順序表示コンテンツを眺めるだけでなく、表示の途中で前面のタッチパネルから割り込み要求することにより利用者の意思によるオンデマンド・コンテンツの表示へ変更することができる。例えば、テーブルＮｏ「００４」の内容が図１１のように表示されていたとき、「ＢＦ階  寿司の△△」の部分を利用者がタッチすると、タッチパネルから外部コマンドとして処理され、コマンド解析処理を経て図１２の「コマンド割り込み？」の部分で判定される。この時テーブルＮｏ「００４」の表示時間を「表示経過時間カウンタ（図示せず）」から読み出し、その値「１６秒」を経過時間記憶エリアに退避する。そして、要求された「寿司の△△」のお店案内のコンテンツ（図示せず）を表示して同時にロギングする。その表示が予め決められた時間経過することで終了すると、もとの表示であるテーブル「００４」であることを「現在表示テーブルＮｏ記憶エリア」から読み出し、そのコンテンツをローディングして「経過時間記憶エリア」から「１６秒」を読み出し、「表示経過時間カウンタ（図示せず）」にセットする。つまり、「１６秒間」はコマンド割り込み前にすでに表示済みで、残りの「１４秒間」が表示される。こうして割り込み要求前の順序コンテンツの復帰場所へ戻り、順序コンテンツの表示が続行される。ここで順序コンテンツの復帰場所は１６秒経過後とするか、初めから表示する、つまり、「３０秒間」表示するかは設計の任意事項である。
【００２９】
次に、上述のようにして得られたロギングデータの処理方法を説明する。一定期間で、順序表示コンテンツ群と割り込み要求による表示を要求されたコンテンツの利用記録であるロギングデータは、広告表示装置からホストコンピュータへ転送され、ホストコンピュータ側で集計処理することにより、利用者への人気度が判断できる。つまり、集計結果をオペレータ判断により割り込み要求表示可能なコンテンツ群の品揃えを変更追加または削除するように運用する。具体的には別のコンテンツ作成機（オーサリング機）において割り込み要求可能なメニューの変更を行い、メニューから利用頻度の低い要求コンテンツメニューを削除して、ホストコンピュータ経由で広告表示装置に新メニューを送り込み、その古いコンテンツ自体も記憶装置から削除、または別の新規要求コンテンツに書き替える処理を行う。
【００３０】
広告表示装置の運用が終了するとき、例えば、毎夜の閉店時には役務終了（サービス終了）機能を起動すると、サービス終了の案内（図示せず）を表示して全ての処理を終了する。その時表示していた順序コンテンツのＮｏは現在表示テーブルＮｏ記憶エリアに記憶されている。この記憶エリアはコンテンツ蓄積部が蓄積されているハードディスクなど電源を切断しても消去されない場所に置かれる。そして、次に、電源を投入してサービスを再開すると、図１２の「サービス復帰」により前回の表示コンテンツＮｏを得ることができ、前回の終了場所へ復帰する。
この処理によりある一定の期間、例えば、月間で予め決められた時間配分で広告表示ができる。
【００３１】
【発明の効果】
以上の説明から明らかなように、本発明によると、ペルチェ冷却パネル板を用いて、プラズマ表示装置を冷却するようにしたので、プラズマ表示装置を加熱することなく、該プラズマ表示装置を冷却することができ、従って、該プラズマ表示装置の輝度を所定の輝度に安定して維持することができる。
【図面の簡単な説明】
【図１】  本発明が適用される広告表示装置の一例を説明するための正面斜視図である。
【図２】  図１に示した広告表示装置の裏面斜視図である。
【図３】  本発明の実施に使用して好適なペルチェ・パネル冷却筒の一例を説明するための概略斜視図である。
【図４】  図１に示した広告表示装置のディスプレイの裏面側の要部構成を示す図である。
【図５】  ペルチェ冷却パネルにヒートシンクを設けた場合の例を示す図である。
【図６】  図５に示したペルチェ・冷却パネル板を用いて冷却筒と構成した場合の一例を示す要部斜視図である。
【図７】  広告表示板の背面側をパイプ状のカバーを用いて冷却するようにした場合の例を説明するための図である。
【図８】  本発明による広告表示装置の使用例を示す図である。
【図９】  広告表示装置の構成を示す図である。
【図１０】  表示順序テーブルの一例を示す図である。
【図１１】  図１０に示した表示順序テーブル中の００４の内容を示す図である。
【図１２】  表示順序の動作説明をするためのフロー図である。
【図１３】  ペルチェ冷却パネルの一例を説明するための断面図である。
【符号の説明】
１…ペルチェ冷却パネル、２…ペルチェ素子、１０…プラズマディスプレイ、２０…プリンタ収納部、３０…パソコン収納部、４０…キャスタ、５０，５０′…冷却筒、６０…Ｕ字状ヒートシンク付ペルチェ冷却パネル板、７０…パイプ状カバー。
【図１】
0003669857.tif 000002
【図２】
0003669857.tif 000003
【図３】
0003669857.tif 000004
【図４】
0003669857.tif 000005
【図５】
0003669857.tif 000006
【図６】
0003669857.tif 000007
【図７】
0003669857.tif 000008
【図８】
0003669857.tif 000009
【図９】
0003669857.tif 000010
【図１０】
0003669857.tif 000011
【図１１】
0003669857.tif 000012
【図１２】
0003669857.tif 000013
【図１３】
0003669857.tif 000014